(57)【要約】【課題】着信者が不在の時にきた通話要求に対して、通信費をかけることなく所定の返信メッセージを又伝言メッセージを送り込むことを可能とした通信装置を提供すること。【解決手段】着信側の♯２通信装置１０のＣＰＵ１１は、発信側の♯１通信装置１０との間での通話状態が確立する以前に受信したセットアップ情報が備えている着サブアドレスＡ及び着サブアドレスＢに基づき、デスコネクト情報が備えている受信メッセージを着サブアドレスＢごとに着サブアドレスＡと対応付けて不在者テーブル１４３に記憶させる。また、ＣＰＵ１１は、セットアップ情報に着サブアドレスＡ及び着サブアドレスＢを有し、この着サブアドレスＡに対応する不在者テーブル１４３中の受信メッセージを要求する要求メッセージを受信する。その後、ＣＰＵ１１は、この受信メッセージをアラーティング情報に挿入して、要求してきた通信装置１０に発信する。【選択図】図２
2007295126.tif 000002
【特許請求の範囲】
【請求項１】
複数の各端末を通信網に個別に接続する機能を備えた主制御部と、この主制御部に制御されて作動し前記通信網を介して送受信される複数の情報を想定して当該各情報に対応する各通話相手情報とこれに個別対応する個別送信メッセージとを予め記憶した記憶部とを備えた通信装置において、
前記主制御部が、前記端末から出された特定の通信相手に対する通話要求の発信中に前記端末から当該通話要求の相手側に対する伝言メッセージの送信要求が出された場合に作動し、前記記憶部に予め保存されている当該通話相手に対応した所定の個別送信メッセージを伝言メッセージとして特定すると共に、この特定された伝言メッセージを前記呼出し継続動作の切断時に当該切断のタイミングで前記通話相手に送信する伝言メッセージ送信制御機能を備えていることを特徴とした通信装置。
【請求項２】
複数の各端末を通信網に個別に接続する機能を備えた主制御部と、この主制御部に制御されて作動し前記通信網を介して送受信される複数の情報を想定して当該各情報に対応する各通話相手情報とこれに個別対応する個別送信メッセージとを予め記憶した記憶部とを備えた通信装置において、
前記主制御部が、前記通信網を介して送信されてくる通話要求の着信に応じて当該着信情報に対応する発信者情報とこれに個別対応する個別返信メッセージとを前記記憶部から読み出すと共に、この特定された個別返信メッセージを前記通話要求継続中に前記発信者に送信する返信メッセージ送信制御機能を備えていることを特徴とした通信装置。
【請求項３】
前記請求項１又は２に記載の通信装置において、
前記記憶部は不在者テーブルを備えると共に、当該不在者テーブルには前記発信者側から送信されてくる所定のメッセージが受信された場合にこれを受信メッセージとして保存する受信メッセージ保存領域が設けられ、
前記主制御部は、前記発信者側から前記呼び出し動作の切断のタイミングで送り込まれる送信メッセージを受信し当該発信者毎に対応させて前記不在者テーブルに伝言メッセージとして保存すると共に、当該保存メッセージを要求に応じて取り出して出力する受信メッセージ格納制御機能を備えていることを特徴とした通信装置。
【請求項４】
前記請求項３に記載の通信装置において、
前記主制御部に、前記保存メッセージ用の表示部と保存メッセージ表示指令を入力する設定操作部とを併設すると共に、
前記主制御部が、前記設定操作部からの表示指令に基づいて作動し前記不在者テーブルから前記保存メッセージを取り出して前記表示部に表示するメッセージ表示制御機能を備えていることを特徴とした通信装置。
【請求項５】
前記請求項３又は４に記載の通信装置において、
前記通信網を介して外部から前記保存メッセージの確認要求があった場合に、前記主制御部は、当該確認要求の着信が通常の通話要求の着信か又は確認要求の着信かを判断する確認要求判断機能と、確認要求と判断された場合に前記不在者テーブルを検索して当該当該着信にかかる発信者情報とこれに対応するメッセージの登録の有無を確認する登録有無確認機能と、前記発信者情報の登録が確認された場合に当該着信にかかる確認要求の発信者に前記不在者テーブルに保存されている保存メッセージを前記確認要求の継続中に送信する保存メッセージ送信機能とを備えていることを特徴とする通信装置。
【請求項６】
端末からの要求に応じて主制御部が作動し通信網を介して通話相手に通話要求を発信する第１の工程（通話要求発信工程）と、
この通話要求の発信中に前記端末から当該通話要求の相手側に対する伝言メッセージの送信要求が出された場合に作動して別に装備した記憶部に予め保存されている当該通話相手に対応した所定の保存メッセージを前記主制御部が伝言メッセージとして特定する第２の工程（伝言メッセージ特定工程）と、
この特定された伝言メッセージを前記通話要求の動作を切断した場合に当該切断のタイミングで送信する第３の工程（伝言メッセージ送信工程）と、
を備えたことを特徴とする通信制御方法。
【請求項７】
通信網を介して発信者からの通話要求を呼制御部を介して受信する第１の工程（通話要求受信工程）と、
この受信された発信者からの通話要求の継続中に当該通話要求にかかる発信者に対する返信メッセージを個別返信用の保存メッセージとして予め記憶した記憶部を検索して当該発信者に対応した保存メッセージを返信メッセージとして特定する第２の工程（返信メッセージ特定工程）と、
この特定された返信メッセージを前記通話要求の動作の継続中に前記発信者に送信する第３の工程（返信メッセージ送信工程）とを備えたことを特徴とする通信制御方法。
【請求項８】
前記請求項７に記載の通信制御方法において、
前記返信メッセージ送信工程の実行後に前記発信者から送り込まれる伝言メッセージを前記記憶部に保存する伝言メッセージ保存工程と、
この保存された伝言メッセージに対する確認要求が前記通信網を介して外部からなされた場合に当該確認要求の着信が通常の通話要求の着信か又は確認要求の着信かを判断する確認要求判断工程と、
確認要求と判断された場合に前記記憶部を検索して当該当該着信にかかる発信者情報とこれに対応するメッセージの登録の有無を確認する登録有無確認工程と、
前記発信者情報の登録が確認された場合に当該着信にかかる確認要求の発信者に前記記憶部に保存されている伝言メッセージを当該確認要求の継続中に送信する保存メッセージ送信工程とを備えていることを特徴とする通信制御方法。
【請求項９】
端末からの要求に応じて通話相手に対して通信網を介して通話要求を発信する通話要求発信機能、
この通話要求の発信中に前記端末から当該通話要求の相手側に対する伝言メッセージの送信要求が出された場合に作動して予め別に準備した記憶部に予め保存されている当該通話相手に対応した所定の保存メッセージを伝言メッセージとして特定する伝言メッセージ特定機能、
この特定された伝言メッセージを前記通話要求の動作が切断された場合に当該切断のタイミングで前記通話要求の相手側に送信する伝言メッセージ送信機能、
をコンピュータに実行させることを特徴とした通信制御プログラム。
【請求項１０】
通信網を介して発信者から送られてくる通話要求を呼制御部を介して受信する通話要求受信機能、
この受信された発信者からの通話要求の継続中に当該通話要求にかかる発信者に対する返信メッセージを個別返信用の保存メッセージとして予め記憶した記憶部を検索して当該発信者に対応した保存メッセージを返信メッセージとして特定する返信メッセージ特定機能、
この特定された返信メッセージを前記通話要求の動作の継続中に前記発信者に送信する返信メッセージ送信機能、
をコンピュータに実行させることを特徴とした通信制御プログラム。
【請求項１１】
前記請求項１０に記載の通信制御プログラムにおいて、
前記返信メッセージ送信機能の実行後に前記発信者から送り込まれる伝言メッセージを前記記憶部に保存する伝言メッセージ保存機能、
この保存された伝言メッセージに対する確認要求が前記通信網を介して外部からなされた場合に当該確認要求の着信が通常の通話要求の着信か又は確認要求の着信かを判断する確認要求判断機能、
確認要求と判断された場合に前記記憶部を検索して当該当該着信にかかる発信者情報とこれに対応するメッセージの登録の有無を確認する登録有無確認機能、
前記発信者情報の登録が確認された場合に当該着信にかかる発信者に前記記憶部に保存されている伝言メッセージを送信する保存メッセージ送信機能、
をコンピュータに実行させることを特徴とした通信制御プログラム。
【発明の詳細な説明】
【技術分野】
【０００１】
本発明は、通話やデータ通信が開始される前に、発信者の情報と発信者が指名する着信者の情報とを相互に送受信する通信装置に関する。
【背景技術】
【０００２】
既認定アナログ電話機等の複数の端末と接続することが可能で、且つＩＳＤＮ網（ポイントｔｏポイント回線契約）と接続する機能を備えたターミナルアダプタ等の通信装置は、端末からの発着信をＩＳＤＮ（Intergrated Service Digital Network)のサブアドレスを使用して、発信者及び着信者を特定することができる。そこで、このサブアドレスに発信者及び着信者を指定して発信し、その着信者が不在時には、発信者に対して、例えば不在内容を示すメッセージを選んで返送するという通信装置が提案されている（例えば、特許文献１参照）。
【０００３】
又、発信者を容易に特定できる情報を提供し且つ不在時に或いは話し中でも発信者を確認することができる発信者確認装置が提案されている（例えば、特許文献２参照）。
【０００４】
【特許文献１】特開２００４−２４７７８２号公報
【特許文献２】特開平３−１１７９４９号公報
【発明の開示】
【発明が解決しようとする課題】
【０００５】
しかしながら、特許文献１に記載されている通信装置、及び特許文献２に記載の発信者確認装置では、指定した着信者にメッセージを残したい場合には、通話状態を確立したのち、メッセージを発信する方法をとらざるを得なかったので、着信者が不在のときには、着信者以外の人がメッセージを着信し、その後、着信者がこの人からメッセージを伝言で聞くという手間かかると共に、通信状態を確立した後にメッセージを着信するように構成されているので、当然のことながら通信費が嵩むという不都合があった。
【０００６】
本発明は、上記従来例の有する不都合を改善し、着信者が不在のときに回線を通話状態に設定することなく所定のメッセージを送受信することを可能とし、これによって通信費をかけることなく情報のやり取りを可能とした通信装置、通信制御方法、および通信制御プログラムを提供することを、その目的とする。
【課題を解決するための手段】
【０００７】
上記目的を達成するため、本発明にかかる通信装置では、複数の各端末を通信網に個別に接続する機能を備えた主制御部と、この主制御部に制御されて作動し前記通信網を介して送受信される複数の情報を想定して当該各情報に対応する各通話相手情報とこれに個別対応する個別送信メッセージとを予め記憶した記憶部とを備えている。そして、前述した主制御部が、端末から出された特定の通信相手に対する通話要求の発信中に前記端末から当該通話要求の相手側に対する伝言メッセージの送信要求が出された場合に作動し、前記記憶部に予め保存されている当該通話相手に対応した所定の個別送信メッセージを伝言メッセージとして特定すると共に、この特定された伝言メッセージを前記呼出し継続動作の切断時に当該切断のタイミングで前記通話相手に送信する伝言メッセージ送信制御機能を備えたことを特徴とする（請求項１）。
【０００８】
このため、この構成によれば、主制御部が有効に機能して、例えば着信者（通話相手）が不在のときには回線を通話状態に設定することなく呼出し継続動作（通話要求）の切断時に所定のメッセージを送信することが可能とし、これによって通信費をかけることなく所定の情報を通話相手に送信することが可能とすることができる。
【０００９】
又、本発明にかかる通信装置では、複数の各端末を通信網に個別に接続する機能を備えた主制御部と、この主制御部に制御されて作動し前記通信網を介して送受信される複数の情報を想定して当該各情報に対応する各通話相手情報とこれに個別対応する個別送信メッセージとを予め記憶した記憶部とを備えている。そして、前述した主制御部が、前記通信網を介して送信されてくる通話要求（呼出し動作）の着信に応じて当該着信情報に対応する発信者情報（通話相手情報）とこれに個別対応する個別返信メッセージとを前記記憶部から読み出すと共に、この特定された個別返信メッセージを前記通話要求（呼出し動作）継続中に前記発信者に送信する返信メッセージ送信制御機能を備えていることを特徴とする（請求項２）。
【００１０】
このため、この構成によれば、主制御部が有効に機能して、着信側の者が不在であっても回線を通話状態に設定することなく例えばフザイ等の所定のメッセージを発信者側に送信することが可能となり、前記通話要求（呼出し動作）継続中に前記発信者に送信するようにしたので、通信費をかけることなく所定の情報を送信することが可能とすることができる。
【００１１】
ここで、前述した記憶部は不在者テーブルを備えると共に、当該不在者テーブルには前記発信者（通話相手）側から送信されてくる所定のメッセージ（伝言メッセージ）が受信された場合にこれを受信メッセージとして保存する受信メッセージ保存領域を設けた構成とし、又、前述した主制御部は、前記発信者（通話相手）側から前記呼び出し動作（接続要求）の切断のタイミングで送り込まれる送信メッセージを受信し当該発信者（通話相手）毎に対応させて前記不在者テーブルに伝言メッセージとして保存すると共に、当該保存メッセージを要求に応じて取り出して出力する受信メッセージ格納制御機能を備えた構成としてもよい（請求項３）。
これにより、必要なメッセージを迅速に且つ確実に保存し若しくは取り出して出力することが可能となる。
【００１２】
又、前述した主制御部に、前記保存メッセージ用の表示部と保存メッセージ表示指令を入力する設定操作部とを併設すると共に、前述した主制御部が、前記設定操作部からの表示指令に基づいて作動し前記不在者テーブルから前記保存メッセージを取り出して前記表示部に表示するメッセージ表示制御機能を備えた構成としてもよい（請求項４）。
これにより、オペレータは設定操作部を操作することにより保存メッセージをいつでも表示部に表示させてその内容の存在有無を確認することができる。
【００１３】
更に、前述した通信網を介して外部から前記保存メッセージの確認要求があった場合に、これに対応して、前記主制御部が、当該確認要求の着信が通常の通話要求の着信か又は確認要求の着信かを判断する確認要求判断機能と、確認要求と判断された場合に前記不在者テーブルを検索して当該当該着信にかかる発信者情報とこれに対応するメッセージの登録の有無を確認する登録有無確認機能と、前記発信者情報の登録が確認された場合に当該着信にかかる確認要求の発信者に前記不在者テーブルに保存されている保存メッセージを前記確認要求の継続中に回線を接続することなく送信する保存メッセージ送信機能とを備えた構成としてもよい（請求項５）。
このようにすると、不在のときに端末にかかってきたメッセージを別の場所から通信装置に確認することが可能であり、同時にこのメッセージの確認に要する通信費を抑えることができる。
【００１４】
本発明にかかる通信制御方法では、端末からの要求に応じて主制御部が作動し通信網を介して通話相手に通話要求を発信する第１の工程（通話要求発信工程）と、この通話要求の発信中に前記端末から当該通話要求の相手側に対する伝言メッセージの送信要求が出された場合に作動して別に装備した記憶部に予め保存されている当該通話相手に対応した所定の保存メッセージを前記主制御部が伝言メッセージとして特定する第２の工程（伝言メッセージ特定工程）と、この特定された伝言メッセージを前記通話要求の動作を切断した場合に当該切断のタイミングで送信する第３の工程（伝言メッセージ送信工程）とを備えたことを特徴とする（請求項６）。
このため、これによると、例えば着信者（通話相手）が不在のときには呼出し継続動作（通話要求）の切断時に所定のメッセージを確実に送信することができ、これによって通信費をかけることなく所定の情報を通話相手に送信することができる。
【００１５】
又、本発明にかかる通信制御方法では、通信網を介して発信者からの通話要求を呼制御部を介して受信する第１の工程（通話要求受信工程）と、この受信された発信者からの通話要求の継続中に当該通話要求にかかる発信者に対する返信メッセージを個別返信用の保存メッセージとして予め記憶した記憶部を検索して当該発信者に対応した保存メッセージを返信メッセージとして特定する第２の工程（返信メッセージ特定工程）と、この特定された返信メッセージを前記通話要求の動作の継続中に前記発信者に送信する第３の工程（返信メッセージ送信工程）とを備えたことを特徴とする（請求項７）。
このため、この構成によれば、着信側の者が不在であっても例えばフザイ等の所定のメッセージを発信者側に送信することが可能となり、前記通話要求（呼出し動作）継続中に前記発信者に送信するようにしたので、通信費をかけることなく所定の情報を確実に送信することができる。
【００１６】
ここで、前述した返信メッセージ送信工程の実行後に前記発信者から送り込まれる伝言メッセージを前記記憶部に保存する伝言メッセージ保存工程と、この保存された伝言メッセージに対する確認要求が前記通信網を介して外部からなされた場合に当該確認要求の着信が通常の通話要求の着信か又は確認要求の着信かを判断する確認要求判断工程と、確認要求と判断された場合に前記記憶部を検索して当該当該着信にかかる発信者情報とこれに対応するメッセージの登録の有無を確認する登録有無確認工程と、前記発信者情報の登録が確認された場合に当該着信にかかる発信者に前記記憶部に保存されている伝言メッセージを当該確認要求の継続中に送信する保存メッセージ送信工程とを備えていることを特徴とする（請求項８）。
このようにすると、不在のときに端末にかかってきたメッセージを別の場所から任意の時間帯に通信装置に対して確認することが可能であり、同時にこのメッセージの確認を確認要求の継続中に成し得るので、当該確認要求に要する通信費を抑えることができる。
【００１７】
又、前述した通信制御方法にかかる各工程の実行内容については、これをプログラム化してコンピュータに実行させるように構成してもよい。
このようにすると、上記各通信制御方法で実行される内容をより迅速に実行処理することができ、これにより上述した各通信制御方法の場合とほぼ同等の効果を得ることができる。
【発明の効果】
【００１８】
本発明は以上のように構成され機能するので、これによると、着信者が不在のときに回線を通話状態に設定することなく所定のメッセージを送受信することが可能となり、これによって通信費をかけることなく情報のやり取りが可能となるという従来にない優れた通信装置、通信制御方法、および通信制御プログラムを提供することができる。
【発明を実施するための最良の形態】
【００１９】
以下、本発明の最良の形態を図面を参照して説明する。
図１は、本発明に係る通信装置を使用した通信システムの一例を示すブロック図であり、図２は、本発明に係る通信装置の一実施形態を示すブロック図である。この実施形態の♯１及び♯２の通信装置１０は、図１に示すように、ＩＳＤＮ網３０を介して互いに接続されている。そして、♯１及び♯２の通信装置１０は、通信端末である複数の電話機２０及びファクシミリ装置（ＦＡＸ）２１に接続されている。
【００２０】
ここで、本実施形態の内容説明に際し、最初に全体的な内容とその要点を説明し、その後にその内容を具体的に開示する。
まず、前述した通信装置１０は、図２に示すように複数の各端末２０を通信網としてのＩＳＤＮ網３０に個別に接続する機能を備えた主制御部（ＣＰＵ）１１と、この主制御部１１に制御されて作動し前記ＩＳＤＮ網（通信網）３０を介して送受信される複数の情報を想定して当該各情報に対応する各通話相手情報とこれに個別対応する個別送信メッセージとを予め記憶した記憶部１４とを備えている。
【００２１】
この内、主制御部（ＣＰＵ）１１は、前述した端末２０から出された特定の通信相手に対する通話要求の発信中に当該端末２０から当該通話要求の相手側に対する伝言メッセージの送信要求が出された場合に作動し、前記記憶部１４に予め保存されている当該通話相手に対応した所定の個別送信メッセージを伝言メッセージとして特定すると共に、この特定された伝言メッセージを前記呼出し継続動作の切断時に当該切断のタイミングで前記通話相手に送信する伝言メッセージ送信制御機能を備えている。
【００２２】
又、前述した主制御部（ＣＰＵ）１１は、前記ＩＳＤＮ網（通信網）３０を介して送信されてくる通話要求（呼出し動作）の着信に応じて当該着信情報に対応する発信者情報（通話相手情報）とこれに個別対応する個別返信メッセージとを前記記憶部１４から読み出すと共に、この特定された個別返信メッセージを前記通話要求（呼出し動作）継続中に前記発信者に送信する返信メッセージ送信制御機能を備えている。
【００２３】
更に、前述した記憶部１４は、後述するように、不在者テーブルを備えると共に、当該不在者テーブルには前記発信者（通話相手）側から送信されてくる所定のメッセージ（伝言メッセージ）が受信された場合にこれを受信メッセージとして保存する受信メッセージ保存領域が設けられている。そして、前述した主制御部（ＣＰＵ）１１は、前記発信者（通話相手）側から前記呼び出し動作（接続要求）の切断のタイミングで送り込まれる送信メッセージを受信し当該発信者（通話相手）毎に対応させて前記不在者テーブルに伝言メッセージとして保存すると共に、当該保存メッセージを要求に応じて取り出して出力する受信メッセージ格納制御機能を備えている。
【００２４】
ここで、前述した主制御部（ＣＰＵ）１１に、前記保存メッセージ用の表示部１５と保存メッセージ表示指令を入力する設定操作部としての設定ボタン１７とが併設されている。そして、前記主制御部（ＣＰＵ）１１は、前記設定ボタン（設定操作部）１７からの表示指令に基づいて作動し前記不在者テーブルから前記保存メッセージを取り出して前記表示部１５に表示するメッセージ表示制御機能を備えている。
【００２５】
更に前述したＩＳＤＮ網（通信網）３０を介して外部から前記保存メッセージの確認要求があった場合に、前記主制御部（ＣＰＵ）１１は、当該確認要求の着信が通常の通話要求の着信か又は確認要求の着信かを判断する確認要求判断機能と、確認要求と判断された場合に前記不在者テーブルを検索して当該当該着信にかかる発信者情報とこれに対応するメッセージの登録の有無を確認する登録有無確認機能と、前記発信者情報の登録が確認された場合に当該着信にかかる確認要求の発信者に前記不在者テーブルに保存されている保存メッセージを前記確認要求の継続中に送信する保存メッセージ送信機能とを備えている。
【００２６】
又、前述した♯１及び♯２の通信装置１０は、図２に示すように、更に、前記ＩＳＤＮ網（通信網）３０との間で所定の接続要求（呼出し信号）等のやり取りを行う呼制御部１２と、端末２０，２１等との間で各種情報の授受そ行うアナログインターフェース部１３と、各送信情報等に対して前記端末に対応した個別ＩＤを設定する個別ＩＤ設定部１６とを備えて構成されている。
【００２７】
ここで、前述した前記主制御部（ＣＰＵ）１１の各種機能は、後述する新たな機能を含めてＣＰＵ１１及び呼制御部１２の連携により実現されるようになっている。
又、ＣＰＵ１１は、記憶部１４に記憶されている制御プログラム（図示せず）に従った処理を実行する。例えば、ＣＰＵ１１は、発信側の通信装置との間での通話状態が確立する以前に受信した、後述するデスコネクト情報に有する着信者を識別する着信者識別情報、及び、発信者を識別する発信者識別情報に基づき、デスコネクト情報に有する受信メッセージを着信者識別情報ごとに発信者識別情報と対応付けて記憶部１４の不在者テーブル１４３に記憶（登録）させる。
【００２８】
更に、ＣＰＵ１１は、後述するセットアップ情報に記述されている発信者識別情報に対応して不在者テーブル１４３に記憶されている受信メッセージを要求するメッセージを、呼制御部１２を介して受信する。また、ＣＰＵ１１は、通話状態が確立する前（通話要求継続中）に、要求された受信メッセージを後述するアラーティング情報に挿入して当該受信メッセージを要求した通信装置に送信する。
【００２９】
また、ＣＰＵ１１は、受信した後述する不在者テーブル１４３に記憶されている受信メッセージの要求の中に記述されている着サブアドレスＡが、不在者テーブル１４３に記憶されているか否かを判定し、この着サブアドレスＡが不在者テーブル１４３に記憶されていると判定された場合には、この着サブアドレスＡに対応する受信メッセージが不在者テーブル１４３に記憶されているか否なかを判定する。そして、ＣＰＵ１１は、着サブアドレスＡが不在者テーブル１４３に記憶されていると判定し且つこの着サブアドレスＡに対応する受信メッセージが不在者テーブル１４３に記憶されていると判定した場合には、この着サブアドレスＡとこの受信メッセージとを、アラーティング情報に挿入して受信メッセージを要求した通信装置に送信する機能を備えている。
一方、ＣＰＵ１１は、着サブアドレスＡが不在者テーブル１４３に記憶されていると判定し且つ受信メッセージが不在者テーブル１４３に記憶されていないと判定した場合には、この着サブアドレスＡと受信メッセージが無い旨を、アラーティング情報に挿入して受信メッセージを要求した通信装置に送信する機能を備えている。
【００３０】
更に、ＣＰＵ１１は、電話機２０等から予め入力されていた送信メッセージＩＤに対応する送信メッセージを、後述する送信メッセージテーブル１４４から読み出して、アラーティング情報に挿入して着信側の通信装置１０に送信する。
なお、ＣＰＵ１１が実行する上記処理の以外の処理については、後述する本実施形態における通信装置１１の動作説明の箇所で詳述する。
【００３１】
呼制御部１２は、ＩＳＤＮ網３０と接続され、回線閉結および開放を行い、ＩＳＤＮ網５０を介して各種の情報を互いに送受信する。各種の情報中には、送信側の通信装置１０が受信側の通信装置１０に対して送信する通信を開始した旨を知らせる（通信回線を接続することを要求する）ＳＥＴＵＰメッセージ（以下「セットアップ情報（通話要求）」
という）、ＣＯＮＮＥＣＴメッセージ（以下「コネクト情報」という）と、電話機等２０に呼出しをかけている最中であることを示すＡＬＥＲＴＩＮＧメッセージ（以下「アラーティング情報」という）、通信回線を切断するＤＩＳＣＯＮＮＥＣＴメッセージ（以下「デスコネクト情報」という）等がある。
【００３２】
セットアップ情報は、発信元の加入者電話番号（以下「発信番号」という）、発信元の発サブアドレス、着信番号（以下、着番号という）、着サブアドレスと、送信側のユーザと受信側のユーザと間での送受信するユーザ・ユーザ情報とを有している。
着サブアドレスは、図３（ａ）に示すように、先頭から符合「＊」までの数字からなる着サブアドレスＡと、符合「＊」から最後までの数字からなる着サブアドレスＢとを有するものと、図３（ｂ）に示すように、符合「＊」が両端と中央に有し、両端にある符合「＊」と中央にある符合「＊」との間に有する数字からなる着サブアドレスＡと、着サブアドレスＢとを有するものがある。後者の着サブアドレスは、かかってきたメッセージを外部の電話機２０から確認するために必要となるものである。以下、後者の着サブアドレスを確認用着サブアドレスという。
【００３３】
着サブアドレスＡは、発信者識別情報を有し、着サブアドレスＢは、着信者識別情報を有する。このように、着サブアドレスは、発信者側及び着信者側の両方の識別情報を有する。ここで、上記発サブアドレスは、発信者識別情報のみを有する。
【００３４】
例えば、着サブアドレスが「１２３４＊５６７８」又は「＊１２３４＊５６７８＊」であった場合には、「１２３４」が着サブアドレスＡであり、「５６７８」が着サブアドレスＢである。また、着サブアドレスが「１２３４＊」であった場合には、着サブアドレスＢがなく、着サブアドレスが「＊５６７８」であった場合には、着サブアドレスＡがない。更に、着サブアドレスが「＊」がない「１２３４５６７８」であった場合には、通常の着サブアドレスとして扱う。
【００３５】
図２に示すアナログインターフェース部（アナログＩ／Ｆ部）１３は、複数の電話機２とファクシミリ装置２１とに接続され、ＩＳＤＮ網３０を介して受信した音声信号や画像信号からなるデジタル信号をアナログ信号に変換し、この変換した信号を電話機２０やファクシミリ装置２１に出力する。また、アナログＩ／Ｆ部１３は、電話機２０及びファクシミリ装置２１の表示部（図示せず）に表示させるデジタル信号からなる表示情報を、アナログ信号に変換して、当該電話機２０及びファクシミリ装置２１に出力する。
【００３６】
記憶部１４は、ＲＯＭ、ＲＡＭ等のメモリ、ハードディスク装置により構成され、制御プログラム（図示せず）、着サブアドレステーブル１４１、相手先別アドレステーブル１４２、不在者テーブル１４３、及び、送信メッセージテーブル１４４を備えている。
着サブアドレステーブル１４１は、図４（ａ）に示すように、着サブアドレスＡ項目、発番号項目、着サブアドレスＢ項目、及び着信者名項目を有している。着サブアドレスＡ項目には、着サブアドレスＡが記述されている。発信番号項目は、着サブアドレスＡに一対一に対応する発信者の発信番号が記述されている。着サブアドレスＢ項目は、着サブアドレスＢが記述されている。着信者名項目は、着サブアドレスＢに一対一に対応する着信者が記述されている。
【００３７】
相手先別アドレステーブル１４２は、図４（ｂ）に示すように、相手先発信番号項目を有している。また、この相手先発信番号項目には、更に、個別ＩＤ項目及び相手先発信者名項目の細項目を有している。相手先発信番号項目には発信先の発発信番号が記述されている。個別ＩＤ項目には、発信先を識別するための個別ＩＤが記述されている。発信者名項目には、発信した発信者名が記述されている。
【００３８】
不在者テーブル１４３は、図４（ｃ）に示すように、着サブアドレスＢ項目、着サブアドレスＡ項目、送信メッセージ項目、及び受信メッセージ項目を有している。着サブアドレスＢ項目には着サブアドレスＢが記述され、着サブアドレスＡ項目には着サブアドレスＡが記述されている。送信メッセージ項目には受信した電話機２０等に対して送信する不在内容を示す送信メッセージが記述されている。受信メッセージ項目には、先に送信した送信メッセージに対する要求を有する受信メッセージが記述されている。なお、受信メッセージ項目は、デフォルトの場合には、「ナシ」が記述されているものとする。
送信メッセージテーブル１４４は、図４（ｄ）に示すように、送信メッセージＩＤ項目及び送信メッセージ項目を有している。送信メッセージＩＤ項目には送信するメッセージを識別する送信メッセージＩＤが記述されている。送信メッセージ項目には、送信するメッセージの内容が記述されている。受信メッセージ項目には受信メッセージが記憶されている。
【００３９】
図２に示す表示部１５は、ＣＰＵ１１の制御に基づいて文字情報を表示する機能を備えている。又、個別ＩＤ設定部１６は、着信号でって応答前のタイミングのときに、着信者名を特定する個別ＩＤの入力を受け付け、当該個別ＩＤをＣＰＵ１１に出力する。個別ＩＤ設定部１６は、個別ＩＤの入力を、電話機２１あるいはファクシミリ装置２１に内蔵のキーのうち、各使用者に割り当てられたキーの押下を検知することによって受け付けてもよいし、通信装置１０の個別ＩＤ設定用ボタン（図示せず）の押下を検知することによって受け付けてもよい。設定ボタン１７は、テンキーや特殊キーを有し、ユーザが所定の情報を設定するためののものである。
【００４０】
次に、この実施形態の通信装置の動作を、（１）発信側の通信装置の動作と、（２）着信側の動作とに分けて説明する。
【００４１】
（１）．発信側の通信装置の動作について
発信側の通信装置１０の動作を説明する上で、♯１の通信装置１０を発信側の通信装置とし、♯２の通信装置１０を着信側の通信装置として説明する。
図５及び図６は、発信側の通信装置の動作を示すフローチャートである。発信者が、例えば発信側の♯１の電話機２０（以下、単に♯１の電話機２０という）を操作し、着信側の例えば♯２の電話機２０（以下、♯２の電話機２０という）の電話番号（以下「発信番号」という）と着サブアドレスとをダイヤル入力すると、♯１の通信装置１０のＣＰＵ１１は、発信番号及び着サブアドレスが♯１の電話機２０から入力される。
【００４２】
♯１の通信装置１０のＣＰＵ１１は、♯１の電話機２０から入力された電話番号、及び着サブアドレス、並びに、発サブアドレス及びユーザ・ユーザ情報に基づき、セットアップ情報を作成し、このセットアップ情報を呼制御部１２及びＩＳＤＮ網３０を介して♯２の通信装置１０に送信する（ステップＳ１０：通話要求発信）。
【００４３】
次に、ＣＰＵ１１は、セットアップ情報を♯２の通信装置１０に送信する（ステップＳ１１）。その後、ＣＰＵ１１は、♯２の通信装置２０から呼制御部１２を介してアラーティング情報を受信すると（ステップＳ１２）、アラーティング情報に含まれているユーザ・ユーザ情報を抽出し、抽出したユーザ・ユーザ情報の中に送信メッセージがあるか否かを判定する（ステップＳ１３）。
【００４４】
ＣＰＵ１１は、ユーザ・ユーザ情報の中に送信メッセージがあると判定した場合には（ステップＳ１３；ＹＥＳ）、このメッセージを表示部２５に表示させる（ステップＳ１４）。例えば、ユーザ・ユーザ情報に含まれている送信メッセージが「フザイ」である場合には、表示部１５に「フザイ」が表示させる。一方、ＣＰＵ１１は、ユーザ・ユーザ情報中に送信メッセージがないと判定した場合には（ステップＳ１３；ＮＯ）、ステップＳ１５に処理を移行させる。
【００４５】
発信者は、相手から送信されてきた送信メッセージに対する応答を相手に残したい場合には、応答内容に該当する送信メッセージを識別する送信メッセージＩＤを♯１の電話機にダイヤル入力する。例えば、発信者は、先に♯２の電話機２０から「フザイ」という送信メッセージを受信し、それに対して、「ｔｅｌクレ」という内容の送信メッセージを♯２の電話機２０に送信したい場合には、「４３２１」と♯１の電話機２０にダイヤル入力する。すると、♯１の電話機２０は、♯１の通信装置１０に送信メッセージＩＤを出力する（伝言メッセージ送信制御機能の一部発動）。
【００４６】
ＣＰＵ１１は、アナログＩ／Ｆ部１３を介して送信メッセージＩＤが入力されたか否かを判定する（ステップＳ１５）。ＣＰＵ１１は、送信メッセージＩＤが入力されたと判定した場合には（ステップＳ１５；ＹＥＳ）、この送信メッセージＩＤを記憶部１４のワーク領域（図示せず）一時記憶する（ステップＳ１６：伝言メッセージ特定工程）。一方、ＣＰＵ１１は、この送信メッセージＩＤが送信メッセージテーブル１４４に登録されていないと判定した場合には（ステップＳ１８；ＮＯ）、ステップＳ１９に処理を移行させる。
【００４７】
その後、ＣＰＵ１１は、ＩＳＤＮ網３０を介して♯２の通信装置２０からコネクト情報を受信したか否かを判定する（ステップＳ１７）。ＣＰＵ１１は、♯２の通信装置１０からコネクト情報を受信しないと判定した場合には（ステップＳ１７；ＮＯ）、開放情報が入力されたか否かを判定する（ステップＳ１８）。ＣＰＵ１１は、開放情報が入力されていない場合には（ステップＳ１８；ＮＯ）、ステップＳ１７に処理を移行させ、上述したと同様な処理を行う。一方、ＣＰＵ１１は、開放情報が入力されたと判定した場合には（ステップＳ１８；ＹＥＳ）、♯１の電話機２０と♯２の電話機２０との間でデータリンクの確立が成立したことを検出する。即ち、ＣＰＵ１１は、♯１の電話機２０と♯２の電話機２０との間で通話状態になったことを検出する（ステップＳ１９）。
【００４８】
その後、ＣＰＵ１１は、コネクト情報に含まれているユーザ・ユーザ情報を抽出し、ユーザ・ユーザ情報に個別ＩＤを有するか否かを判定する（ステップＳ２０）。ＣＰＵ１１は、ユーザ・ユーザ情報に個別ＩＤを有しないと判定した場合には（ステップＳ２０；ＮＯ）、ステップＳ２２に処理を移行させる。一方、ＣＰＵ１１は、ユーザ・ユーザ情報に個別ＩＤを有すると判定した場合には（ステップＳ２０；ＹＥＳ）、相手先別テーブル１４２を参照し、このテーブル１４２に記憶されている当該個別ＩＤに対応する相手先発信者名を表示部１５に表示させる（ステップＳ２１）。
【００４９】
例えば、受信側の♯２の電話機２０に割り当てられている発信番号「０３ａａａａｂｂｂｂ」が発信側の♯１の電話機から発信され、その後、♯２の通信装置２０から受信したコネクト情報に有する個別ＩＤが「５５５５」であった場合には、この個別ＩＤ「５５５５」に対応する相手先発信者名は「ａａａａ」である。従って、表示部１５には発信相手先名「ａａａａ」が表示される（図４（ｂ）参照）。
【００５０】
その後、ＣＰＵ１１は、発信者により実行された旨の開放情報が♯１の電話機２０から入力された否かを判定する（ステップＳ２２）。ＣＰＵ１１は、♯１の電話機２０から開放情報が入力されていないと判定した場合には（ステップＳ２２；ＮＯ）、♯２の通信装置２０からデスコネクト情報を受信したか否かを判定する（ステップＳ２３）。
ここで、上記開放情報は、♯１の電話機２０の受話器を置く等を行うことにより発生する。
【００５１】
ＣＰＵ１１は、♯２の通信装置１０からデスコネクト情報を受信していないと判定した場合には（ステップＳ２３；ＮＯ）、ステップＳ２２に処理を移行し、同様な処理を続行する。一方、ＣＰＵ１１は、♯２の通信装置１０からデスコネクト情報を受信したと判定した場合には（ステップＳ２３；ＹＥＳ）、ステップＳ２９に処理を移行させる。
【００５２】
ステップＳ２２において、ＣＰＵ１１は、♯１の電話機２０から開放情報が入力されたと判定した場合には（ステップＳ２２；ＹＥＳ）、♯１の電話機２０がポイントｔｏポイント契約されているか否かを判定する（ステップＳ２４）。ＣＰＵ１１は、ポイントｔｏポイント契約されていないと判定した場合には（ステップＳ２４；ＮＯ）、ユーザ・ユーザ情報のないデスコネクト情報を送信し（ステップＳ２５）、ステップＳ２９に処理を移行させる。
【００５３】
一方、ＣＰＵ１１は、ポイントｔｏポイント契約されていると判定した場合には（ステップＳ２４；ＹＥＳ）、記憶部１４のワーク領域に送信メッセージＩＤが一時記憶されているか否かを判定する（ステップＳ２６）。ＣＰＵ１１は、ワーク領域に送信メッセージＩＤが一時記憶されていないと判定した場合には（ステップＳ２６；ＮＯ）、送信メッセージが挿入されていないユーザ・ユーザ情報を有するデスコネクト情報を生成し、このデスコネクト情報を呼制御部１２及びＩＳＤＮ網３０を介して♯２の通信装置２０に送信する（ステップＳ２８）。その後、ＣＰＵ１１は、回線を開放し（ステップＳ２９）、送信処理を終了する。
【００５４】
一方、ＣＰＵ１１は、ワーク領域に送信メッセージＩＤが記憶されていると判定した場合には（ステップＳ２６；ＹＥＳ）、この送信メッセージＩＤに対応する送信メッセージが挿入されたユーザ・ユーザ情報を有するデスコネクト情報を生成し、このデスコネクト情報を呼制御部１２及びＩＳＤＮ網３０を介して♯２の通信装置１０に送信し（ステップＳ２７）、ステップＳ２９に処理を移行させる。
例えば、ＣＰＵ１１に読み出された送信メッセージが「ｔｅｌクレ」である場合は、♯２の通信装置１０に対して、伝言メッセージ送信制御機能によって「ｔｅｌクレ」という送信メッセージを有するデスコネクト情報が送信される（伝言メッセージ送信工程）。
【００５５】
ここで、上述した各情報処理工程にあって、通話相手に対する通話要求を発信する通話要求発信工程、記憶部１４内から伝言メッセージを特定する伝言メッセージ特定工程、および特定した伝言メッセージを送信する伝言メッセージ送信工程の各工程内でそれぞれ実行される情報処理内容を、プログラム化し、これをコンピュータに実行させるように構成してもよい。
このようにしても、上述した実施形態の場合とほぼ同等の効果を得ることができる。
【００５６】
（２）．受信側の通信装置の動作について
受信側の通信装置の動作を説明する上で、♯１の通信装置１０を発信側の通信装置とし、♯２の通信装置１０を着信側の通信装置として説明する。図７及、図８及び図９は、受信側の通信装置の動作を示すフローチャートである。
【００５７】
♯２の通信装置１０のＣＰＵ１１は、呼制御部１２を介して♯１の通信装置１０からセットアップ情報を受信すると（ステップＳ４０：通話要求の受信工程）、着サブアドレスがあるか否かを判定する（ステップＳ４１）。ＣＰＵ１１は、着サブアドレスがないと判定した場合には（ステップＳ４１；ＮＯ）、セットアップ情報に有する発信番号を読み出し、この発信番号を表示部１５に表示させる（ステップＳ４２）、その後、ＣＰＵ１１は、送信メッセージを挿入しないアラーティング情報を生成し、このアラーティング情報を呼制御部１２及びＩＳＤＮ網３０を介して♯１の通信装置１０に送信し（ステップＳ４３）、ステップＳ６２に処理を移行させる。
【００５８】
ステップＳ４１において、ＣＰＵ１１は、着サブアドレスがあると判定した場合には（ステップＳ４１；ＹＥＳ）、セットアップ情報から着サブアドレスを読み出し、確認要求判断機能によって着サブアドレスがメッセージ確認用の着アドレス形式のものであるか否かを判定する（ステップＳ４４：確認要求判断工程）。ＣＰＵ１１は、着サブアドレスがメッセージ確認用の着アドレス形式のものであると判定した場合、即ち、着サブアドレスの両端に符合「＊」を有していると判定した場合には（ステップＳ４４；ＹＥＳ）、記憶部１４に有する不在者テーブル１４３を検索し、登録有無確認機能によって着サブアドレスに記述されている着サブアドレスＡが登録されているか否かを判定する（ステップＳ４５：登録有無確認工程）。
【００５９】
ＣＰＵ１１は、着サブアドレスに記述されている着サブアドレスＡが不在者テーブル１４３に登録されていないと判定した場合には（ステップＳ４５；ＮＯ）、メッセージを挿入しないアラーティング情報を生成し、このアラーティング情報を呼制御部１２及びＩＳＤＮ網３０を介して♯１の通信装置１０に送信する（ステップＳ４９）。その後、ＣＰＵ１１は、♯１の通信装置１０からデスコネクト情報を受信したか否かを判定する。ＣＰＵ１１は、♯１の通信装置１０からデスコネクト情報を受信していないと判定した場合には（ステップＳ６１；ＮＯ）、デスコネクト情報を受信する間でこの処理を継続する。一方、ＣＰＵ１１は、♯１の通信装置１０からデスコネクト情報を受信したと判定した場合には（ステップＳ６１；ＹＥＳ）、ステップ７３に処理を移行させる。
【００６０】
一方、ＣＰＵ１１は、着サブアドレスに記述されている着サブアドレスＡが不在者テーブル１４３に登録されていると判定した場合には（ステップＳ４５；ＹＥＳ）、この着サブアドレスＢに対応する受信メッセージが不在者テーブル１４３に保存されているか否かを判定する（ステップＳ４６）。
例えば、不在者テーブル１４３においては、着サブアドレスＢが「３３３３」の場合には、受信メッセージとして「ｔｅｌクレ」及び「ヨテイキャンセル」が、ＣＰＵ１１の受信メッセージ格納制御機能によって予め受信され保存されていることとなる（図４（ｃ）参照）。この場合、前述した伝言メッセージ送信工程（♯１の通信装置１０にて実行される工程）によって通話要求の切断にタイミングで送り込まれた伝言メッセージが前記不在者テーブル１４３に予め登録され保存されていることが前提となっている（伝言メッセージ保存工程）。
【００６１】
ＣＰＵ１１は、着サブアドレスＢに対応する受信メッセージが不在者テーブル１４３に保存されていないと判定した場合には（ステップＳ４６；ＮＯ）、「着サブアドレス−ナシ」という内容の送信メッセージを挿入したユーザ・ユーザ情報を有するアラーティング情報を生成し、このアラーティング情報を呼制御部１２及びＩＳＤＮ網３０を介して♯１の通信装置１０に送信し（ステップＳ４８）、ステップＳ６１に処理を移行させる。
例えば、着サブアドレスＢが「４４４４」で、かつ、着サブアドレスＡが「２２２２」の場合には、「２２２２−ナシ」という送信メッセージを挿入したユーザ・ユーザ情報を有するアラーティング情報が♯１の通信装置１０に送信される（図４（ｃ）参照）。
【００６２】
一方、ＣＰＵ１１は、着サブアドレスＡに対応する受信メッセージが不在者テーブル１４３に保存されていると判定した場合には（ステップＳ４６）、不在者テーブル１４３から上記着サブアドレスＡに対応する受信メッセージを読み出し（：返信メッセージ特定工程）、「着サブアドレスＡ−受信メッセージ」を挿入した送信メッセージを有するユーザ・ユーザ情報を生成し、このユーザ・ユーザ情報を呼制御部１２及びＩＳＤＮ網３０を介して♯１の通信装置１０に送信し（ステップＳ４７：保存メッセージ送信機能）、ステップＳ６１に処理を移行させる。
例えば、着サブアドレスＢが「３３３３」で、着サブアドレスＡが「１１１１」で、かつ、この着サブアドレスＡに対応する受信メッセージが「ｔｅｌクレ」である場合には、「１１１１−ｔｅｌクレ」という送信メッセージを挿入したユーザ・ユーザ情報を有するアラーティング情報が♯１の通信装置１０に送信される（図４（ｃ）参照）。
【００６３】
ここで、上述した保存メッセージの確認工程にあって、上述した伝言メッセージ保存工程、確認要求判断工程、登録有無確認工程、および保存メッセージ送信工程の各工程で実行される各情報処理内容をプログラム化し、これをコンピュータに実行させるように構成してもよい。
このようにしても、上述した実施形態の場合とほぼ同等の効果を得ることができる。
【００６４】
又、上述したステップＳ４４において、ＣＰＵ１１は、確認要求判断機能によって着サブアドレスがメッセージ確認用の着アドレス形式のものでないと判定した場合、即ち、着サブアドがその両端に符合「＊」を有しないと判定した場合（ステップＳ４４；確認要求判断工程）には、着サブアドレスが着サブアドレスＡと着サブアドレスＢとに分割が可能か否かを判定する（ステップＳ５０）。
例えば、着サブアドレスが「１１１１＊３３３３」の場合には、符合「＊」の前後の「１１１１」と「３３３３」とに分割が可能な着サブアドレスであり、着サブアドレスが「１２３４５６７８」等の「＊」がない場合には分割ができない着サブアドレスである。
【００６５】
ＣＰＵ１１は、着サブアドレスが、着サブアドレスＡと着サブアドレスＢとに分割できないと判定した場合には（ステップＳ５０；ＮＯ）、ステップＳ４２に処理を移行させる。一方、ＣＰＵ１１は、着サブアドレスが、着サブアドレスＡと着サブアドレスＢとに分割が可能であると判定した場合には（ステップＳ５０；ＹＥＳ）、着サブアドレスＡが着サブアドレステーブル１４１に登録されているか否かを判定する（ステップＳ５１）。
【００６６】
ＣＰＵ１１は、着サブアドレスＡが着サブアドレステーブル１４１に登録されていると判定した場合には（ステップＳ５１；ＹＥＳ）、着サブアドレスＢが着サブアドレステーブル１４１に登録されているか否かを判定する（ステップＳ５２）。ＣＰＵ１１は、着サブアドレスＢが着サブアドレステーブル１４１に登録されていると判定した場合には（ステップＳ５２；ＹＥＳ）、着サブアドレスＡに対応した発信者番号、及び、着サブアドレスＢに対応した着信者名を着サブアドレステーブル１４１から読み出し、これら読み出した発信番号及び着信者名を表示部１５に表示させ（ステップＳ５３）、ステップＳ５７に移行させる。
【００６７】
例えば、♯１の通信装置１０から送信されてきたセットアップ情報に有する着サブアドレスに記述されている着サブアドレスＡが「１１１１」の場合には、表示部１５に表示される表示内容は、「１１１１−ｔａｒｏｕ」となる。
【００６８】
一方、ＣＰＵ１１は、着サブアドレスＢが着サブアドレステーブル１４１に登録されていないと判定した場合には（ステップＳ５２；ＮＯ）、着サブアドレスＡに対応した発信者番号を着サブアドレステーブル１４１から読み出し、これら読み出した発信番号を表示部１５に表示させ（ステップＳ４９）、ステップＳ５７に処理を移行させる。
例えば、♯１の通信装置１０から送信されてきたセットアップ情報に有する着サブアドレスに記述されている着サブアドレスＡが「１２３４」の場合には、表示部１５に表示される表示内容は、「１１１１−      」となる。
【００６９】
ステップＳ５１において、ＣＰＵ１１は、着サブアドレスＡが着サブアドレステーブル１４１に登録されていないと判定した場合には（ステップＳ５１；ＮＯ）、着サブアドレスＢが着サブアドレステーブル１４１に登録されているか否かを判定する（ステップＳ５５）。そして、ＣＰＵ１１は、着サブアドレスＢが着サブアドレステーブル１４１に登録されていないと判定した場合には（ステップＳ５５；ＮＯ）、ステップＳ４２に処理を移行させる。
【００７０】
一方、ＣＰＵ１１は、着サブアドレスＢが着サブアドレステーブル１４１に登録されていないと判定した場合には（ステップＳ５５；ＹＥＳ）、着サブアドレステーブル１４１から着サブアドレスＢに対応する着信者名を読み出し、この読み出した着信者名を表示部１５に表示させ（ステップＳ５６）、ステップＳ５７に処理を移行させる。
例えば、♯１の通信装置１０から送信されてきたセットアップ情報に有する着サブアドレスに記述されている着サブアドレスＢが「４４４４」の場合には、表示部１５に表示される表示内容は、「−ｈａｎａｋｏ」となる。
【００７１】
ＣＰＵ１１は、ステップＳ５３、ステップＳ５４、及びステップＳ５６のうちのいずれかを終了すると、記憶部１４に有する不在者テーブル１４３に着サブアドレスＢが登録されているか否かを判定する（ステップＳ５７）。ＣＰＵ１１は、不在者テーブル１４３に着サブアドレスＢが登録されていないと判定した場合には（ステップＳ５７；ＮＯ）、上述したステップＳ４３に移行させる。
【００７２】
一方、ＣＰＵ１１は、不在者テーブル１４３に着サブアドレスＢが登録されていると判定した場合には（ステップＳ５７；ＹＥＳ）、不在者テーブル１４３に着サブアドレスＢに対応する着サブアドレスＡが登録されているか否かを判定する（ステップＳ５８：返信メッセージ特定工程）。ＣＰＵ１１は、不在者テーブル１４３に着サブアドレスＢに対応する着サブアドレスＡが登録されていないと判定した場合には（ステップＳ５８；ＮＯ）、「フザイ」という送信メッセージ（共通メッセージ）をユーザ・ユーザ情報に挿入したアラーティング情報を生成し、この情報を返信メッセージ送信制御機能によってＩＳＤＮ網３０を介して♯１の通信装置１０に送信し（ステップＳ６０：返信メッセージ送信工程）、ステップＳ６２に処理を移行させる。
【００７３】
ＣＰＵ１１は、不在者テーブル１４３に着サブアドレスＢに対応する着サブアドレスＡが登録されていると判定した場合には（ステップＳ５８；ＹＥＳ）、不在者テーブル１４３から着サブアドレスＢに対応する、例えば、「シュッチョウ」という送信メッセージを読み出し、このメッセージをユーザ・ユーザ情報に挿入したアラーティング情報を生成し、この情報をＩＳＤＮ網３０を介して♯１の通信装置１０に送信し（ステップＳ５９：返信メッセージ送信制御機能）、ステップＳ６２に処理を移行させる。
【００７４】
ステップＳ６０において、ＣＰＵ１１は、「フザイ」という送信メッセージをユーザ・ユーザ情報に挿入したアラーティング情報をＩＳＤＮ網３０を介して♯１の通信装置１０に送信した場合か、又は、ステップＳ４３において、送信メッセージを挿入しないアラーティング情報をＩＳＤＮ網３０を介して♯１の通信装置１０に送信すると、♯１の通信装置１０から応答があったか否かを判定する（ステップＳ６２）。ＣＰＵ１１は、応答があった場合には（ステップＳ６２；ＹＥＳ）、ステップＳ６４に処理を移行する。一方、ＣＰＵ１１は、応答がなかった場合には（ステップＳ６２；ＮＯ）、♯１の通信装置からデスコネクト情報を受信したか否かを判定する（ステップＳ６３）。
【００７５】
ＣＰＵ１１は、♯１の通信装置からデスコネクト情報を受信していないと判定した場合には（ステップＳ６３；ＮＯ）、ステップＳ６２に処理を移行させ上述したと同様な処理を続行させる。一方、ＣＰＵ１１は、♯１の通信装置からデスコネクト情報を受信したと判定した場合には（ステップＳ６３；ＹＥＳ）、ステップＳ６９に処理を移行させる。
【００７６】
ステップＳ６２において、ＣＰＵ１１は、♯１の通信装置１０から応答があったと判定した場合には（ステップＳ６２；ＹＥＳ）、個別ＩＤの設定の有無があるか否かを判定する（ステップＳ６４）。この個別ＩＤは、着信者が個別ＩＤを♯２の電話機２０に備えられているキーのうち、各使用者に割り当てられたキーを押下することにより入力されるか、または、♯２の通信装置１０の個別ＩＤ設定用ボタンを押下することにより入力される。そして、個別ＩＤ設定部１６は、個別ＩＤの入力を検出すると、この個別ＩＤをＣＰＵ１１に出力するようになっている。
【００７７】
ＣＰＵ１１は、個別ＩＤの設定が無かったと判定した場合には（ステップＳ６４；ＮＯ）、ステップＳ６６に処理を移行させる。一方、ＣＰＵ１１は、個別ＩＤの設定が有ったと判定した場合には（ステップＳ６４；ＹＥＳ）、この個別ＩＤを挿入したユーザ・ユーザ情報を有するコネクト情報を生成し、このコネクト情報をＩＳＤＮ網３０を介して♯１の通信装置に送信し（ステップＳ６５）、♯１の電話機２０と♯２の電話機通信装置１０との間でデータリンクを確立させる。すなわち、ＣＰＵ１１は、♯１の電話機２０と♯２の電話機２０との間で通話が可能な状態にさせる（ステップＳ６６）。
【００７８】
その後、ＣＰＵ１１は、開放情報が♯２の通信装置２０から入力されたか否かを判定する（ステップＳ６７）。ＣＰＵ１１は、開放情報が入力されたと判定した場合には（ステップＳ６７；ＹＥＳ）、デスコネクト情報を♯１の通信装置１０に送信し（ステップＳ７１）、表示部１５に表示されている表示内容を消去し（ステップＳ７２）、♯１の通信装置１０との間の回線を開放し（ステップＳ７３）、処理を終了する。
【００７９】
ステップＳ６７において、ＣＰＵ１１は、開放情報が入力されていないと判定した場合には（ステップＳ６７；ＮＯ）、♯１の通信装置１０からデスコネクト情報を受信したか否かを判定する（ステップＳ６８）。ＣＰＵ１１は、♯１の通信装置１０からデスコネクト情報を受信していないと判定した場合には（ステップＳ６８；ＮＯ）、ステップＳ６６に処理を移行させる。
一方、ＣＰＵ１１は、♯１の通信装置１０からデスコネクト情報を受信したと判定した場合には（ステップＳ６８；ＹＥＳ）、受信したデスコネクト情報からユーザ・ユーザ情報を抽出し、このユーザ・ユーザ情報の中に受信メッセージがあるか否かを判定する（ステップＳ６９）。
【００８０】
ＣＰＵ１１は、ユーザ・ユーザ情報の中に受信メッセージがないと判定した場合には（ステップＳ６９；ＮＯ）、ステップＳ７２に処理を移行させる。一方、ＣＰＵ１１は、ユーザ・ユーザ情報の中に受信メッセージがないと判定した場合には（ステップＳ６９；ＹＥＳ）、この受信メッセージを、不在者テーブル１４３の該当する着サブアドレスＢ及び着サブアドレスＡに対応する受信メッセージ項目の箇所に登録したのち（ステップＳ７０）、ステップＳ７２に処理を移行させる。
【００８１】
ここで、前述した発信者からの通話要求に対して着信者側からフザイ等の返信メッセージを送信する場合の各工程、即ち、通話要求受信工程、返信メッージ特定工程、および返信メッセージ送信工程の各工程で実行される情報処理内容をプログラム化し、これをコンピュータに実行させるように構成してもよい。
このようにしても、上述した実施形態の場合とほぼ同等の効果を得ることができる。
【００８２】
このように、上記実施形態によれば、ＣＰＵ１１により、呼制御部１２を介して着信した不在者テーブルに記憶されている受信メッセージをアラーティング情報に挿入して、受信メッセージを要求した通信装置に送信するので、不在のときにかかってきたメッセージを別の場所から確認することが可能であるとともに、メッセージの確認に要する通信費を抑えることができる。
【００８３】
また、この実施形態によれば、ＣＰＵ１１により、先に発信した不在内容を示すメッセージに対する返信を要求するメッセージに記述されている着サブアドレスＡが不在者テーブル１４３に登録され且つ不在者テーブル１４３に返信要求メッセージが保存されていないと判定した場合には、着サブアドレスＡと受信メッセージが無い旨を挿入したメッセージを、受信メッセージを要求した通信装置１０に送信するので、着サブアドレスＡに対応する受信メッセージが不在者テーブル１４３に保存されていないときでも、それに対応したメッセージ、即ち、発信者識別情報に対応するメッセージが無い旨のメッセージを送信することができる。
【００８４】
更に、上記実施形態によれば、送信メッセージテーブル１４４が、発信するメッセージとこのメッセージを識別する送信メッセージＩＤとを対にして記憶するので、送信メッセージＩＤを指定してやりさえすれば、簡単に発信者が希望するメッセージを送信することができる。
【図面の簡単な説明】
【００８５】
【図１】本発明に係る通信装置が使用されている通信システムの一例を示すブロック図である。
【図２】本発明に係る通信装置の一実施形態の構成を示すブロック図である。
【図３】図２の実施形態内における着サブアドレスを例を示す説明図である。
【図４】図２中の着サブアドレステーブル、相手先別アドレステーブル、不在者テーブル、及び送信メッセージテーブルをそれぞれ示す説明する図である。
【図５】図２中の通信装置の発信動作を示すフローチャートである。
【図６】図５のフローチャートに連続する通信装置の発信動作を示す図である。
【図７】図２中の通信装置の受信動作を示すフローチャートである。
【図８】図７のフローチャートに連続する通信装置の発信動作を示す図である。
【図９】図８のフローチャートに連続する通信装置の発信動作を示す図である。
【符号の説明】
【００８６】
１０  通信装置
１１  主制御部としてのＣＰＵ
１３  アナログＩ／Ｆ部
１４  記憶部
１５  表示部
１６  個別ＩＤ設定部
１７  設定操作部としての設定ボタン
２０  端末としての電話機
３０  通信網としてのＩＳＤＮ網
１４１  着サブアドレステーブル
１４２  相手先別アドレステーブル
１４３  不在者テーブル
１４４  送信メッセージテーブル
【図１】
2007295126.tif 000003
【図２】
2007295126.tif 000004
【図３】
2007295126.tif 000005
【図４】
2007295126.tif 000006
【図５】
2007295126.tif 000007
【図６】
2007295126.tif 000008
【図７】
2007295126.tif 000009
【図８】
2007295126.tif 000010
【図９】
2007295126.tif 000011